(57)【要約】【課題】  輝度及び輝度均一性を増加させたバックライトアセンブリを提供する。【解決手段】  ディスプレイに必要な光を発生させるランプの形状を断面が短軸（Ｗ２）及び長軸（Ｗ１）を有する形状に変更し、長軸が液晶表示パネルの光入射面と平行にする。これによって、液晶表示パネルに供給される光の輝度及び輝度均一性を大きく増加させ、バックライトアセンブリ及び液晶表示装置の嵩を大きく減少させ、ランプから発生した光の利用効率増加によってランプに印加される電力をより減少させて、ランプの消費電力量を減少させることができる。
2006510042.tif 000002
【特許請求の範囲】
【請求項１】
液晶表示パネルの光入射面と向かい合うように配置されるランプにおいて、
断面が長軸及び短軸を有する筒形状を有し、前記長軸が前記光入射面と平行に配置されるランプ本体と、
前記ランプ本体内部で放電を発生させるために、前記ランプ本体に配置される電極と、を含むランプ。
【請求項２】
前記ランプ本体は、楕円柱形状、直六面体柱形状、又は前記光入射面と向かい合う面が凸形状の筒状であることを特徴とする請求項１記載のランプ。
【請求項３】
前記電極は、前記ランプ本体の内部に配置される第１内部電極及び前記第１内部電極と向かい合う位置に配置された第２内部電極を含み、
前記第１内部電極は、前記ランプ本体の外部に引き出された第１リード線を、また前記第２内部電極は、前記ランプ本体の外部に引き出された第２リード線を更に含むことを特徴とする請求項１記載のランプ。
【請求項４】
前記電極のうち、少なくとも１個は前記ランプ本体の表面に配置される外部電極であることを特徴とする請求項１記載のランプ。
【請求項５】
前記電極は、前記ランプ本体の長手方向に沿って延びかつ互いに離隔する帯形状に形成された導電プレート形状を有することを特徴とする請求項１記載のランプ。
【請求項６】
前記電極は、前記ランプ本体の長手方向に沿って延びかつ互いに離隔する帯形状に配置された鍍金された金属層であることを特徴とする請求項１記載のランプ。
【請求項７】
前記電極は、前記ランプ本体の外面に沿って相互離隔する帯形状に配置された導電プレート形状を有することを特徴とする請求項１記載のランプ。
【請求項８】
前記電極は、前記ランプ本体の外面に沿って相互離隔する帯形状に配置された鍍金された金属層であることを特徴とする請求項１記載のランプ。
【請求項９】
前記電極は、前記ランプ本体の長手方向に沿って延びかつ相互離隔する帯形状に配置され、一部は前記ランプ本体から同じ方向に突出されることを特徴とする請求項１記載のランプ。
【請求項１０】
前記電極は、前記ランプ本体の長手方向に沿って延びかつ相互離隔する帯形状に配置された一対の電極を含み、前記一対の電極は前記ランプ本体から互いに反対方向に突出されることを特徴とする請求項１記載のランプ。
【請求項１１】
前記電極は、絶縁部材によって相互絶縁されることを特徴とする請求項１記載のランプ。
【請求項１２】
収納空間を形成するために、底面及び前記底面のエッジから延びる側壁を有する収納容器と、
断面が長軸及び短軸を有する筒形状を有し、前記底面と前記長軸とが平行に配列されたランプ本体、前記ランプ本体に設けられる第１電極及び第２電極を含む少なくとも１個のランプと、
前記第１電極に第１経路を通じて第１放電電圧を印加する第１導電体と、
前記第２電極に第２経路を通じて第２放電電圧を印加する第２導電体と、を含むバックライトアセンブリ。
【請求項１３】
前記ランプには、前記第１電極及び前記第２電極を保護するための絶縁部材が更に設けられることを特徴とする請求項１２記載のバックライトアセンブリ。
【請求項１４】
前記ランプは、外部から加わる衝撃を吸収するために、前記ランプの両端部に前記両端部の外面を囲むランプホルダーを更に有することを特徴とする請求項１２記載のバックライトアセンブリ。
【請求項１５】
前記ランプには、前記ランプの垂れを防止するために、少なくとも１個のランプサポート部材が更に設けられることを特徴とする請求項１２記載のバックライトアセンブリ。
【請求項１６】
前記底面には、前記ランプの移動を防止するために、前記ランプが挿入されるように突出した一対のランプ固定部が更に配置されることを特徴とする請求項１２記載のバックライトアセンブリ。
【請求項１７】
前記収納容器の内部には、前記収納容器の側壁の内側面に沿って配置されるものであって、拡散板が装着される収納ブロックが設けられることを特徴とする請求項１２記載のバックライトアセンブリ。
【請求項１８】
前記収納ブロックの底面には、前記ランプの端部に対して第１の間隔で離隔する位置に第１導電体スロットが、また前記収納ブロックの底面のうちの前記ランプの端部に対して第１の間隔より大きい第２の間隔で離隔する位置に第２導電体スロットが形成されることを特徴とする請求項１７記載のバックライトアセンブリ。
【請求項１９】
前記第１電極及び第２電極は、前記ランプ本体の外側面において互いに平行に帯形状に配置され、前記第１電極及び第２電極の一部は、前記ランプ本体から前記第１導電体スロット及び第２導電体スロット方向に突出することを特徴とする請求項１８記載のバックライトアセンブリ。
【請求項２０】
前記第１導電体は、前記第１導電体スロットに配置された第１共通電極、前記第１共通電極から延長され前記第１電極に結合される第１連結電極を有し、前記第２導電体は前記第２導電体スロットに配置された第２共通電極、前記第２共通電極から延長され第２電極に結合される第２連結電極を有することを特徴とする請求項１９記載のバックライトアセンブリ。
【請求項２１】
第１電極は前記ランプから前記ランプの長手方向に沿って第１方向に突出し、前記第２電極は前記ランプの前記長手方向に沿って前記第１方向と反対方向である第２方向に突出することを特徴とする請求項１２記載のバックライトアセンブリ。
【請求項２２】
前記収納容器の内部には、前記収納容器の側壁の内側面に沿って配置される収納ブロックが更に設けられ、前記第１導電体及び前記第２導電体は前記収納ブロックの底面に設けられることを特徴とする請求項２１記載のバックライトアセンブリ。
【請求項２３】
前記第１電極及び第２電極は、前記ランプ本体の両側端部に前記ランプ本体の外面に沿って形成されたことを特徴とする請求項１２記載のバックライトアセンブリ。
【請求項２４】
前記第１導電体は前記第１電極をグリップする第１クリップを含み、前記第２導電体は前記第２電極をグリップする第２クリップを含むことを特徴とする請求項２３記載のバックライトアセンブリ。
【請求項２５】
収納空間を形成するために、底面及び前記底面のエッジから延びる側壁を有する収納容器と、
断面が長軸及び短軸を有する筒形状を有し、前記底面と前記長軸が平行に配列されたランプ本体、前記ランプ本体に設けられる第１電極、及び前記ランプ本体に設けられる第２電極を含む少なくとも１個のランプと、
前記第１電極に第１経路を通じて第１放電電圧を印加する第１導電体と、
前記第２電極に第２経路を通じて第２放電電圧を印加する第２導電体と、
前記収納容器の側壁の内側面に沿って配置されるものであって、前記ランプ、前記第１導電体、及び前記第２導電体を固定するための収納ブロックと、
前記収納ブロックの上部に配置される液晶表示パネルと、
前記液晶表示パネルの離脱を防止するために、前記収納容器に結合されるシャーシと、を含む液晶表示装置。
【請求項２６】
前記ランプ本体は断面が長方形形状であり、前記第１電極及び第２電極は前記ランプ本体の外側面において互いに平行に帯形状に配置され、前記第１電極及び第２電極の一部は、前記第１導電体及び第２導電体との連結のために、前記ランプ本体から延長されることを特徴とする請求項２５記載の液晶表示装置。
【請求項２７】
前記第１導電体は、前記第１電極と連結される第１連結電極及び複数の前記第１連結電極と共通に連結され前記収納ブロックに固定される第１共通電極を含み、前記第２導電体は前記第２電極と連結される第２連結電極、及び複数の前記第２連結電極と共通に連結され前記第１導電体と離隔して前記収納ブロックに固定される第２共通電極を含むことを特徴とする請求項２５記載の液晶表示装置。
【発明の詳細な説明】
【技術分野】
【０００１】
本発明は、ランプ、バックライトアセンブリ、及びこれを用いた液晶表示装置に関し、より詳細には、輝度及び輝度均一性を向上させたランプ、バックライトアセンブリ、及びこれを用いた液晶表示装置に関する。
【背景技術】
【０００２】
一般に、液晶表示装置は、画像、文字、動画像等をディスプレイする平板表示装置の一種である。液晶表示装置は、画像、文字、動画像をディスプレイするために、液晶制御装置及び光学装置を必要とする。
【０００３】
液晶制御装置は、液晶を微小面積単位で精密に制御することが可能な液晶表示パネルを含み、光学装置は液晶表示装置に高い輝度及び均一な輝度の光を供給するために、ランプ及び光学部材を含む。
【０００４】
液晶表示装置での輝度及び輝度均一性は、ディスプレイ品質を決定する重要な要素である。一般に、輝度及び輝度均一性が高いほど、液晶表示装置でのディスプレイ品質は向上される。
【０００５】
液晶表示装置で輝度を増加させるためには、光を発生させるランプ個数を増加させる方法、又はランプに印加される電流量を増加させる方法が用いられる。
【０００６】
しかし、このような方法のうち、ランプの個数を増加させる方法は輝度は増加させることができるが、輝度均一性は大きく劣化させ、ランプとランプとの間で輝度のむらを発生させ、これによってディスプレイ品質は低下される。
【発明の開示】
【発明が解決しようとする課題】
【０００７】
従って、本発明はこのような従来の問題点を勘案したものであって、本発明の第１目的は、輝度及び輝度均一性を増加させるためのランプを提供することにある。
【０００８】
本発明の第２目的は、輝度及び輝度均一性を増加させる複数個のランプを用いて、面光源と類似の光分布を有する光を出射するバックライトアセンブリを提供することにある。
【０００９】
本発明の第３目的は、輝度及び輝度均一性を増加させる複数個のランプを用いて、面光源と類似の光分布を有する光を出射するバックライトアセンブリによって高い輝度及び高い輝度均一性を有する文字、画像、及び動画像をディスプレイする液晶表示装置を提供することにある。
【課題を解決するための手段】
【００１０】
このような本発明の第１目的を具現するために、本発明は、液晶表示パネルの光入射面と向かい合うように配置されるランプにおいて、断面が長軸及び短軸を有する筒形状を有し、長軸が前記光入射面と平行に配置されたランプ本体、及びランプ本体の内部で放電を発生させるために、ランプ本体に配置された一対の電極を含むことを特徴とするランプを提供する。
【００１１】
又、本発明の第２目的を具現するために、本発明は、収納空間を形成するために、底面及び底面のエッジから延びる側壁を有する収納容器、断面が長軸及び短軸を有する筒形状を有し、底面と長軸が平行に配列されたランプ本体、ランプ本体に設けられる第１電極及び第２電極を含む少なくとも１個のランプ、及び第１電極に第１経路を通じて第１放電電圧を印加する第１導電体、第２電極に第２経路を通じて第２放電電圧を印加する第２導電体を含むバックライトアセンブリを提供する。
【００１２】
又、本発明の第３目的を具現するために、本発明は、収納空間を形成するために、底面及び底面のエッジから延びる側壁を有する収納容器、断面が長軸及び短軸を有する筒形状を有して底面と長軸が平行に配列されたランプ本体、ランプ本体に設けられる第１電極、及び前記ランプ本体に設けられる第２電極を含む少なくとも１個のランプ、第１電極に第１経路を通じて第１放電電圧を印加する第１導電体、第２電極に第２経路を通じて第２放電電圧を印加する第２導電体、収納容器の側壁の内側面に沿って配置される収納ブロック、収納ブロックに装着される光学シート群、光学シート群の上部に収納ブロックを介して装着された液晶表示パネル、及び液晶表示パネルの離脱を防止するために収納容器に結合されるシャーシを含む液晶表示装置を提供する。
【００１３】
本発明によると、ランプの形状を円柱形状から断面が短軸及び長軸を有する形状に変更して、光の輝度及び輝度均一性を向上させる。
【発明を実施するための最良の形態】
【００１４】
以下、添付図面を参照して、本発明の好ましい実施例を詳細に説明する。
【００１５】
図１は、本発明の一実施例によるランプを示す概念図である。
【００１６】
図１において、符号１０は文字、画像、及び動画像をディスプレイするための液晶表示パネルである。液晶表示パネル１０のうち、光の入射される面を光入射面と言い、符号１１を付与する。又、液晶表示パネル１０から文字、画像、及び動画像を含むイメージ光を出射される面を光出射面と言い、符号１３を付与する。
【００１７】
図１を参照すると、液晶表示パネル１０と向かい合うランプ１００は、その断面が長軸と短軸を有する非対称形状を有する。長軸と短軸を有するランプ１００は、楕円柱形状、長方形柱形状、あるいは長方形形状の内一面を凸形状としたものが含まれる。
【００１８】
光入射面１１に入射される光の光量を増加させるために、ランプ１００の長軸は光入射面１１と平行に配置される。
【００１９】
又、ランプ１００から発生した光は、液晶表示パネル１０の光入射面１１に対して垂直に近い角度で入射するほど、光入射面１１に多く入射される。従って、ランプ１００は楕円柱形状でも良いが、大部分の光が光入射面１１に対して垂直方向に入射される直六面体形状に製作することが好ましい。
【００２０】
（実施例１）
図２は、本発明の第１実施例によるランプの部分切開斜視図である。
【００２１】
図２を参照すると、ランプ１００は、ランプ本体１１０及び一対の電極１２２、１２４で構成される。
【００２２】
ランプ本体１１０は、一実施例として直六面体形状を有する。従って、ランプ本体１１０は、相互連結された第１側面１１２、第２側面１１４、第３側面１１３、第４側面１１５、第１密封部材１１６、及び第２密封部材１１７で構成される。
【００２３】
第１側面１１２及び第２側面１１４は相互に向かい合い、第１長さＬ及び第１幅Ｗ１を有する。第３側面１１３及び第４側面１１５は相互に向かい合い、第１長さＬ及び第２幅Ｗ２を有する。ここで、第２幅Ｗ２は第１幅Ｗ１より小さい。第１側面１１２乃至第４側面１１５の内壁には、蛍光物質（図示せず）が塗布される。
【００２４】
一方、ランプ本体１１０は、第１開口１１８及び第１開口１１８と向かい合う第２開口１１９を含み、第１開口１１８及び第２開口１１９を通じて放電ガス１１１が注入される。
【００２５】
第１密封部材１１６は第１開口１１８に設けられ、第２密封部材１１７は第２開口１１９に設けられる。放電ガス１１１は、第１密封部材１１６及び第２密封部材１１７によって密封される。
【００２６】
一方、一対の電極１２２、１２４は、それぞれ第１密封部材１１６及び第２密封部材１１７に設けられる。第１密封部材１１６には第１電極１２２が設けられ、第２密封部材１１７には第２電極１２４が設けられる。
【００２７】
第１電極１２２は第１内部電極１２２ａ及び第１リード線１２２ｂで構成され、第２電極１２４は第２内部電極１２４ａ及び第２リード線１２４ｂで構成される。
【００２８】
第１リード線１２２ｂがニッケル又は銅材質で製作され、第１密封部材１１６を貫通して設けられ、第１内部電極１２２ａはランプ本体１１０の内部に配置されるように第１リード線１２２ｂに連結される。第１内部電極１２２ａは、ニッケル又は銅材質で製作され、放電をより容易に発生するために円筒形状を有する。
【００２９】
第２リード線１２４ｂはニッケル又は銅材質で製作され、第２密封部材１１７を貫通して設けられる。第２内部電極１２４ａは、ランプ本体１１０の内部で第１内部電極１２２ａと向かい合うように第２リード線１２４ｂに連結される。第２内部電極１２４ａはニッケル又は銅材質で製作され、放電をより容易に発生するために円筒形状を有する。
【００３０】
第１リード線１２２ｂ及び第２リード線１２４ｂは、電力線が溶接されるか、電圧が印加されたクリップ等に嵌め込まれる。
【００３１】
（実施例２）
図３は、本発明の第２実施例によるランプの部分切開斜視図である。
【００３２】
図３を参照すると、ランプ２００はランプ本体２１０及び電極２２２、２２４で構成される。ランプ本体２１０は、第１側面２１２、第２側面２１４、第３側面２１３、第４側面２１５、第１密封部材２１６、及び第２密封部材２１７で構成される。
【００３３】
第１側面２１２及び第２側面２１４は互いに向かい合い、第１長さＬ及び第１幅Ｗ１を有する。第３側面２１３及び第４側面２１５は互いに向かい合い、第１長さＬ及び第２幅Ｗ２を有する。ここで、第２幅Ｗ２は第１幅Ｗ１より小さい。第１側面２１２乃至第４側面２１５の内壁には蛍光物質（図示せず）が塗布される。
【００３４】
一方、ランプ本体２１０は、第１開口２１８及び第１開口２１８と向かい合う第２開口２１９を含み、第１開口２１８及び第２開口２１９を通じて放電ガス２１１が注入される。
【００３５】
第１密封部材２１６は第１開口２１８に設けられ、第２密封部材２１７は第２開口２１９に設けられる。放電ガス２１１は、第１密封部材２１６及び第２密封部材２１７によって密封される。
【００３６】
図３に図示された電極２２２、２２４は、第１電極２２２及び第２電極２２４で構成される。符号２２３は、第１電極２２２及び第１側面２１２を互いに接着させる導電性接着剤であり、符号２２５は、第２電極２２４及び第１側面２１２を互いに接着させる導電性接着剤である。
【００３７】
ここで、第１電極２２２及び第２電極２２４は、図３に示すように、ランプ本体２１０の外部に設けられる。これと異なり、第１電極２２２又は第２電極２２４のうち、いずれか一つはランプ本体２１０の内部に設けられることもできる。
【００３８】
図３を更に参照すると、ランプ本体２１０の外側面に配置された第１電極２２２又は第２電極２２４は帯形状を有する。
【００３９】
好ましくは、第１電極２２２及び第２電極２２４は、ランプ本体２１０の長手方向に沿って長く形成される。この際、第１電極２２２及び第２電極２２４は、第１側面２１２上で相互に平行に形成される。
【００４０】
一実施例として、第１電極２２２及び第２電極２２４は、ランプ本体２１０の外側面に厚さが薄い導電性プレート形態に配置される。
【００４１】
（実施例３）
図４は、本発明の第３実施例によるランプを示す斜視図である。
【００４２】
図４を参照すると、ランプ３００は、ランプ本体３１０及び電極３２２、３２４で構成される。本実施例によるランプ本体３１０は、第２実施例と同じ構成を有するので、その重複説明は省略する。
【００４３】
第１電極３２２及び第２電極３２４は、ランプ本体３１０の外側面に付着された厚さが薄い導電性プレートである。第１電極３２２及び第２電極３２４は帯形状を有し、ランプ本体３１０から長手方向に形成される。この際、第１電極３２２及び第２電極３２４の一部は、第１密封部材３１６の外側に突出される。ランプ本体３１０から突出された第１電極３２２及び第２電極３２４には、電圧印加部材が結合される。
【００４４】
（実施例４）
図５は、本発明の第４実施例によるランプを示す斜視図である。
【００４５】
図５を参照すると、ランプ４００はランプ本体４１０及び電極４２２、４２４で構成される。ランプ本体４１０は、前述した第２実施例及び第３実施例で説明したので、その重複説明は省略する。
【００４６】
第１電極４２２及び第２電極４２４は、ランプ本体４１０の外側面に付着された厚さが薄い導電性プレートである。第１電極４２２は、一部がランプ本体４１０から長手方向に、第２密封部材４１７側に突出される。第２電極４２４は一部がランプ本体４１０から長手方向に第１密封部材４１６側に突出される。
【００４７】
（実施例５）
図６は本発明の第５実施例によるランプを示す部分切開斜視図である。
【００４８】
図６を参照すると、ランプ５００は、ランプ本体５１０及び電極５２２、５２４で構成される。ランプ本体５１０は、第２実施例乃至第４実施例と同じなので、その重複説明は省略する。
【００４９】
電極５２２、５２４は、第１電極５２２及び第２電極５２４で構成される。第１電極５２２及び第２電極５２４は、ランプ本体５１０の端部を囲む形状に製作されることができる。この際、第１電極５２２及び第２電極５２４は、互いに離隔するように形成される。
【００５０】
第１電極５２２又は第２電極５２４は、ランプ本体５１０の外側面に鍍金方式で形成されるか、ランプ本体５１０の外側面に厚さが薄い導電性プレートを付着して設けることができる。又、第１電極５２２又は第２電極５２４は、ランプ本体５１０の外側面に液相透明電極をコーティングして形成しても良い。透明電極は、インジウムスズ酸化物質又はインジウム亜鉛酸化物質を用いることが好ましい。
【００５１】
（実施例６）
図７は、本発明の第６実施例によるランプの部分切開斜視図である。
【００５２】
図７を参照すると、ランプ６００は、ランプ本体６１０及び電極６２２、６２４で構成される。電極６２２、６２４は、ランプ本体６１０の外側面に形成された第１電極６２２及び第２電極６２４である。第１電極６２２及び第２電極６２４は、互いに平行に形成される。
【００５３】
ここで、第１電極６２２又は第２電極６２４には、数〜数十ｋＶ程度の高電圧が印加されるもので、第１電極６２２又は第２電極６２４は他の導電体から絶縁される。絶縁部材６２６は、他の導電体と接触されないようにするために、高電圧が印加された第１電極６２２又は第２電極６２４を覆う。この際、絶縁部材６２６は、高電圧による絶縁破壊が発生しないようにするために、充分な厚さ及び抵抗を有する。
【００５４】
（バックライトアセンブリの実施例１）
図８は、本発明の第１実施例によるバックライトアセンブリの概念図であり、図９は、本発明の第１実施例によるバックライトアセンブリの分解斜視図である。
【００５５】
図４、図８、又は図９を参照すると、バックライトアセンブリ７００は、収納容器７１０、ランプ３００、第１導電体７５６、及び第２導電体７５８を含む。
【００５６】
収納容器７１０は、底面７０１及び側壁７０３で構成される。底面７０１は、一実施例として四角プレート形状を有する。従って、底面７０１は４個のエッジを有し、側壁７０３は収納空間が形成されるように底面７０１のそれぞれのエッジから延長される。収納容器７１０は、外部から加わる力によって変形が発生しないようにするために、金属材質で製作することができる。
【００５７】
収納容器７１０の底面７０１には、少なくとも１個のランプ３００が配置される。ランプ３００は、ランプ本体３１０及び電極３２２、３２４で構成される。
【００５８】
ランプ本体３１０は断面が長軸と短軸を有する筒形状を有し、ランプ本体３１０の内部には放電ガスが注入され、ランプ本体３１０の内壁には蛍光物質が塗布される。
【００５９】
一実施例として、ランプ本体３１０は直六面体形状を有する。ランプ本体３１０は、図４に示すように、第１側面３１２、第２側面３１４、第３側面３１３、第４側面３１５、第１密封部材３１６、及び第２密封部材３１７で構成される。ここで、第１側面３１２は収納容器７１０の底面７０１と向かい合い、第２側面３１４は第１側面３１２と向かい合う。
【００６０】
電極３２２、３２４は、第１電極３２２及び第２電極３２４で構成される。一実施例として、第１電極３２２及び第２電極３２４は第１側面３１２上に配置される。第１電極３２２及び第２電極３２４は帯形状を有する導電体であって、第１側面３１２の長手方向に長く配置される。第１電極３２２及び第２電極３２４はショートしないように互いに並行に配置される。
【００６１】
この際、第１電極３２２及び第２電極３２４の端部は、ランプ本体３１０から突出される。
【００６２】
図８を参照すると、第１電極３２２には第１経路を通じて第１放電電圧を印加する第１導電体７５６が連結される。第２電極３２４には、第２経路を通じて第２放電電圧を印加する第２導電体７５８が連結される。
【００６３】
この際、収納容器７１０に複数個のランプ３００が配置される場合、各ランプ３００の第１電極３２２は第１導電体７５６によって並列に連結され、各ランプ３００の第２電極３２４は第２導電体７５８によって並列に連結される。
【００６４】
この際、第１導電体７５６及び第２導電体７５８は、互いに異なる大きさの電圧が印加されるので、互いに短絡されることがないように配置される。
【００６５】
インバータ７５５は、第１導電体７５６に第１放電電圧を印加し、第２導電体７５８に第２放電電圧を印加する。
【００６６】
ランプ３００の第１電極３２２及び第２電極３２４、第１導電体７５６及び第２導電体７５８は数〜数十ｋＶの高電圧が印加される。又、収納容器７１０は、通常金属材質で製作される。従って、収納容器７１０と第１電極３２２、収納容器７１０と第２電極３２４、収納容器７１０と第１導電体７５６、及び収納容器７１０と第２導電体７５８がショートする場合、製品が損傷したり、人体に大きな損傷が発生する可能性がある。
【００６７】
これを防止するために、ランプ３００、第１導電体７５６、及び第２導電体７５８は、収納容器７１０と絶縁される。
【００６８】
図１０は、図８のＡ−Ａ断面図である。図１０を参照すると、収納容器７１０のうち、ランプ３００、第１導電体７５６、及び第２導電体７５８と向かい合う底面７０１には、絶縁部材７５１が更に設けられる。絶縁部材７５１は、絶縁破壊が発生しないように充分な厚さ及び抵抗を有する。一実施例として、絶縁部材７５１は絶縁膜である。
【００６９】
一方、図９を更に参照すると、ランプ３００はガラス材質なので、外部から加わる衝撃によって破損され易いので、これを防止するためにランプ３００にはランプホルダー３３０が更に設けられる。
【００７０】
ランプホルダー３３０は、ランプ３００の両端に配置される。具体的には、ランプホルダー３３０は、ランプ３００の両端部を通じてランプ３００に嵌め込まれる。ランプホルダー３３０は、外部から加わる衝撃を吸収するために、弾性を有するゴム、又は合成樹脂で製作される。ランプホルダー３３０は衝撃を吸収するのみならず、収納容器７１０から第１電極３２２及び第２電極３２４を絶縁させる役割も果たす。
【００７１】
図１１は、本発明の第１実施例によるランプサポート部材を示す側面図である。
【００７２】
図１１を参照すると、ランプ３００の長さが長くなるにつれて、ランプ３００には自重によって重力方向に反りが発生し、反りによってランプ３００の中間部分が収納容器７１０と接触する可能性がある。これを防止するために、ランプホルダー３３０の間には、ランプサポート部材３３５が更に設けられる。ランプサポート部材３３５は、ランプホルダー３３０と同様に弾性のある弾性部材で製作される。
【００７３】
図１２は、本発明の第１実施例によるランプ固定突起を示す図９のＢ部分拡大図である。
【００７４】
図１２を参照すると、ランプ３００が配置される収納容器７１０には、ランプ３００が収納容器７１０の底面で移動しないようにランプ固定突起７０１ａが形成される。ランプ固定突起７０１ａは、収納容器７１０の一部を切開した部分を通し収納容器７１０を貫通して結合される。
【００７５】
ランプ固定突起７０１ａは、ランプホルダー３３０の幅だけ離隔して一対が形成され、ランプホルダー３３０がランプ固定突起７０１ａの間に嵌め込まれてランプ３００が固定されるようにする。
【００７６】
図９を更に参照すると、バックライトアセンブリ７００は、ランプ３００から発生した光の輝度をより均一にするために、ランプ３００の上面に設けられた拡散板７６０を更に含むことができる。
【００７７】
収納容器７１０に拡散板７６０を直接結合するのが難しいため、本発明では収納容器７１０に拡散板７６０を収納するために収納ブロック７７０が更に設けられる。
【００７８】
収納ブロック７７０は、収納容器７１０の側壁７０３の内側面に沿って底面７０１上に配置される。即ち、収納ブロック７７０は、開口７７１が形成されるように四角柱を４個連結した形態の四角プレート形状を有する。収納ブロック７７０の一部は、ランプ３００と一部がオーバーラップされ、ランプ３００とオーバーラップされる部分にはランプ収納溝７７２が形成される。ランプ３００は、ランプ収納溝７７２によって移動が防止される。
【００７９】
図１３は、本発明の第１実施例によって収納ブロックにランプが結合されることを示す部分切開分解斜視図である。図１４は、図９のＢ−Ｂ断面図である。
【００８０】
図１３又は図１４を参照すると、収納ブロック７７０は第１導電体７５６及び第２導電体７５８を固定することができる。このために、収納ブロック７７０には、ランプ３００の幅方向に長く延長された第１導電体スロット７７３、及び第１導電体スロット７７３と平行であり、第１導電体スロット７７３と離隔する位置に形成された第２導電体スロット７７５を有する。
【００８１】
図１５は、本発明の第１実施例によって第１、第２導電体スロットに挿入された第１導電体及び第２導電体を示す側面図である。
【００８２】
図１３又は図１５を参照すると、第１導電体７５６は、各第１電極３２２に連結される第１連結電極７５６ａ、第１連結電極７５６ａが共通的に連結された第１共通電極７５６ｂで構成される。
【００８３】
第１共通電極７５６ｂは第１導電体スロット７７３に配置され、第１連結電極７５６ａは第１共通電極７５６ｂから曲げられて第１電極３２２とオーバーラップされる。第１連結電極７５６ａ及び第１電極３２２のうち、オーバーラップされた部分は螺子７７６によって締結される。
【００８４】
第２導電体７５８は、各第２電極３２４に連結される第２連結電極７５８ａ、第２連結電極７５８ａが共通的に連結された第２共通電極７５８ｂで構成される。
【００８５】
第２共通電極７５８ｂは第２導電体スロット７７５に配置され、第２連結電極７５８ａは第２共通電極７５８ａから曲げられて第２電極３２４とオーバーラップされる。第２連結電極７５８ａ及び第２電極３２４のうち、オーバーラップされた部分は螺子７７６によって締結される。
【００８６】
第１共通電極７５６ｂは、図８に図示されたインバータ７５５と連結され第１電極３２２に第１放電電圧を印加し、第２共通電極７５８ｂはインバータ７５５と連結され第２電極３２４に第２放電電圧を印加する。
【００８７】
以下、ランプ３３０及び第１導電体７５６及び第２導電体７５８の組立過程を簡略に説明する。
【００８８】
図１３を参照すると、収納ブロック７７０の底面が上部に向かうように配置する。その後、収納ブロック７７０の収納溝にランプ３００をそれぞれ挿入させる。その後、第１導電体７５６の第１共通電極７５６ｂを第１導電体スロット７７３に挿入させる。これによって、収納ブロック７７０の底面には第１連結電極７５６ａが配置される。第１連結電極７５６ａと第１電極３２２はオーバーラップされる。その後、第１電極３２２及び第１連結電極７５６ａは、螺子７７６によって締結される。
【００８９】
その後、第２導電体７５８の第２共通電極７５８ｂを第２導電体スロット７５５に挿入させる。これによって、収納ブロック７７０の底面には、第１連結電極７５６ａと平行に第２連結電極７５８ｂが配置される。第２連結電極７５８ａと第２電極３２４はオーバーラップされる。その後、第２電極３２４及び第２連結電極７５８ａがオーバーラップされた部分は、螺子７７６によって締結される。
【００９０】
以後、ランプ３００が固定された収納ブロック７７０は収納容器７１０の底面７０１に装着される。
【００９１】
（バックライトアセンブリの実施例２）
図１６は、本発明の第２実施例によるバックライトアセンブリを示す概念図であり、図１７は、図１６のバックライトアセンブリを示す分解斜視図である。
【００９２】
図１６又は図１７を参照すると、バックライトアセンブリ８００は収納容器８１０、ランプ４００、及び第１導電体８５６、及び第２導電体８５８を含む。第１導電体８５６及び第２導電体８５８はインバータ８５５と連結される。
【００９３】
収納容器８１０は、底面８０１及び側壁８０３で構成される。底面８０１は、好ましく四角プレート形状を有する。側壁８０３は、底面８０１の各エッジから収納空間が形成されるように延長される。
【００９４】
第１導電体８５６は、ランプ４００を基準としてランプ４００の一側に設けられ、第２導電体８５６は、ランプ４００を基準としてランプ４００の他側に設けられる。
【００９５】
ランプ４００は、ランプ本体４１０及び電極４２２、４２４で構成される。ランプ本体４１０は、第１導電体８５６及び第２導電体８５８と直交する形態で配置される。
【００９６】
各ランプ４００に形成された電極４２２、４２４は、第１電極４２２及び第２電極４２４で構成される。第１電極４２２及び第２電極４２４は帯形状を有し、互いにショートしないように平行に配置される。
【００９７】
第１電極４２２の端部は、ランプ本体４１０から第１導電体８５６に向かって突出され、第１導電体８５６とオーバーラップされた後、螺子８７６によって締結される。第２電極４２４の端部は、ランプ本体４１０から第２導電体８５８に向かって突出され、第２導電体８５８とオーバーラップされた後、螺子８７６によって締結される。
【００９８】
この際、第１導電体８５６、第２導電体８５８、及び各ランプ４００の第１電極４２２及び第２電極４２４は、収納容器８１０に対して絶縁される。これは、前述したことと同じなので、重複説明は省略する。
【００９９】
一方、収納容器８１０には、ランプ４００を固定し、拡散板８６０を収納するために、収納ブロック８７０が更に設けられることができる。
【０１００】
収納ブロック８７０は、内部に開口が形成された四角プレート形状を有する。収納ブロック８７０の底面には、開口を中心として開口両側に互いに平行に配置された第１導電体８５６及び第２導電体８５８が設けられる。
【０１０１】
（バックライトアセンブリの実施例３）
図１８は、本発明の第３実施例によるバックライトアセンブリを示す概念図である。
【０１０２】
図６又は図１８を参照すると、バックライトアセンブリ９００は、収納容器９１０、ランプ５００、第１導電体９５６、及び第２導電体９５８で構成される。収納容器９１０は、前述した実施例で説明したものと同じなので、その重複説明は省略する。
【０１０３】
ランプ５００は、ランプ本体５１０及び電極５２２、５２４で構成される。電極５２２、５２４は、ランプ本体５１０の両側端部に配置され、幅方向に沿ってランプ本体５１０を囲む形状を有する。
【０１０４】
第１電極５２２及び第２電極５２４は、導電性プレート、鍍金等の方法で形成することができる。又は、液体状態のインジウムスズ酸化物質又はインジウム亜鉛酸化物質で形成することができる。
【０１０５】
第１導電体９５６は、第１共通電極９５６ａ及び第１クリップ９５６ｂで構成される。第１クリップ９５６ｂは第１共通電極９５６ａと連結され、ランプ５００の個数だけ形成される。
【０１０６】
第２導電体９５８は、第２共通電極９５８ａ及び第２クリップ９５８ｂで構成される。第２クリップ９５８ｂは第２共通電極９５８ａと連結され、ランプ５００の個数だけ形成される。
【０１０７】
ランプ５００の第１電極５２２は第１クリップ９５６ｂに連結され、ランプ５００の第２電極５２４は第２クリップ９５８ｂに連結される。
【０１０８】
インバータは第１導電体９５６に第１放電電圧を印加し、第２導電体９５８に第２放電電圧を印加する。
【０１０９】
このような構成を有するバックライトアセンブリ９００には、収納ブロック９７０が装着される。収納ブロック９７０は中が空いており、中央部分に開口が形成された四角プレート形状を有する。
【０１１０】
図１８に図示されたバックライトアセンブリ９００の収納ブロック９７０には、拡散板９６０が設けられる。拡散板９６０は、収納ブロック９７０の上面に装着される。
【０１１１】
ここで、拡散板９６０及びランプ５００の間隔は非常に重要である。ランプ５００の断面形状が円形に近いほど、拡散板９６０及びランプ５００の中心の間隔は大きくなり、ランプ５００が平たいほど、ランプ５００の中心と拡散板９６０の間隔は狭くなる。
【０１１２】
従って、本発明の実施例で提供されたランプ５００によると、拡散板９６０とランプ５００との間の間隔を非常に狭くすることができる。これによって、バックライトアセンブリ９００の嵩を大きく減少させることができ、結果的に液晶表示装置の嵩を全体的に大きく向上させることができる。
【０１１３】
又、ランプ５００の断面形状が円形に近いほど、拡散板９６０に対して垂直方向に向かう光は減少するので、輝度は減少される。反面、ランプ５００がより平たくなるほど、拡散板９６０に対して垂直方向に向かう光が増加するので、輝度は増加される。結果的に、本発明の実施例で提供されたランプによると、ディスプレイに必ず必要な輝度を大きく向上させることができる。
【０１１４】
又、輝度が大きく増加することにより、ランプで要求される輝度を満足させながらも、ランプに提供される電流量を減少させることができ、消費電力量も大きく減少させることができる。
【０１１５】
図１９は、本発明の一実施例による液晶表示装置の分解斜視図である。
【０１１６】
図１９を参照すると、液晶表示装置１０００は、バックライトアセンブリ７００、液晶表示パネルアセンブリ１１００、及びシャーシ１２００を含む。
【０１１７】
バックライトアセンブリ７００は前述したので、その重複説明は省略する。前述したバックライトアセンブリ７００に含まれた構成要素に対しては、同じ名称及び同じ参照符号を付与する。
【０１１８】
液晶表示パネルアセンブリ１１００は、バックライトアセンブリ７００の収納ブロック７７０の上面に配置された拡散板７６０の上面に結合される。
【０１１９】
液晶表示パネルアセンブリ１１００は、バックライトアセンブリ７００から供給された光を情報が含まれたイメージ光に変更させる。これを具現するために、液晶表示パネルアセンブリは、液晶表示パネル１１２０及び駆動モジュール１１５０で構成される。
【０１２０】
液晶表示パネル１１２０は、ＴＦＴ基板１１２４、液晶１１２６、及びカラーフィルター基板１１２２で構成される。ＴＦＴ基板１１２４には、駆動モジュール１１５０が付着される。
【０１２１】
駆動モジュール１１５０は、印刷回路基板１１５４及びフレキシブル回路基板１１５２で構成される。印刷回路基板１１５４は、外部から提供された画像信号を液晶表示装置が認識することができるイメージ信号に変換する。フレキシブル回路基板１１５２は、印刷回路基板１１５４から発生したイメージ信号を所定のタイミングでＴＦＴ基板１１２４に提供する。
【０１２２】
液晶表示パネル１１２０は、バックライトアセンブリ７００に載置され左右に動くことができないが、バックライトアセンブリ７００に対して垂直方向には動くことができる。又、液晶表示パネル１１２０はガラス基板を含むので、外部衝撃に対して破損され易い。
【０１２３】
このような理由で液晶表示パネル１１２０が外部からの力に対して破損されないようにすると共に液晶表示パネル１１２０がバックライトアセンブリ７００から離脱されないようにしなければならない。
【０１２４】
シャーシ１２００は液晶表示パネルアセンブリ１１００の破損を防止し、液晶表示パネルアセンブリ１１００がバックライトアセンブリ７００から離脱されないようにする。
【０１２５】
シャーシ１２００は、液晶表示パネルアセンブリ１１００のエッジを囲む液晶表示パネル加圧部１２１０、及び液晶表示パネル加圧部１２１０をバックライトアセンブリ７００に固定させる液晶表示パネル固定部１２２０で構成される。
【０１２６】
液晶表示パネル加圧部１２１０は、液晶表示パネルアセンブリ１１００のエッジを押す四角形プレート形状を有し、液晶表示パネル固定部１２２０は液晶表示パネル加圧部１２１０の外側面からバックライトアセンブリ７００の収納容器７１０の側壁７０３まで延長される。
【０１２７】
収納容器７１０の側壁７０３及び液晶表示パネル固定部１２２０はフック式に結合され液晶表示装置が製作される。
【産業上の利用可能性】
【０１２８】
以上で詳細に説明したように、本発明は、ランプの形状を変更させてランプから発生する光の輝度分布を均一にすると共に、輝度を増加させて液晶表示装置から発生したイメージの品質を向上させる効果を有する。
【０１２９】
又、本発明は、ランプの輝度を大きく増加させることにより、所定の輝度に対してはランプが消費する電力量をより減少させることができる効果も有する。
【０１３０】
又、本発明は、ランプの形状をより平たく変更することにより、バックライトアセンブリ又は液晶表示装置の嵩を大きく減少させる効果も有する。
【０１３１】
又、本発明のランプ、バックライトアセンブリ、及び液晶表示装置は、非常に均一な光学分布を有するので、従来必須のものとして用いられた光学シートは選択的に用いられることができ、ランプから発生した光が液晶表示パネルに直角に近接した角度で入射することができるので、高価のプリズムシート等を選択的に用いることができ、バックライトアセンブリ及び液晶表示装置の構成部品数を減少及び生産コストを大きく減少させることができる長所も有する。
【０１３２】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１３３】
【図１】本発明の一実施例によるランプを示す概念図である。
【図２】本発明の第１実施例によるランプの部分切開斜視図である。
【図３】本発明の第２実施例によるランプの部分切開斜視図である。
【図４】本発明の第３実施例によるランプを示す部分切開斜視図である。
【図５】本発明の第４実施例によるランプを示す斜視図である。
【図６】本発明の第５実施例によるランプを示す部分切開斜視図である。
【図７】本発明の第６実施例によるランプの部分切開斜視図である。
【図８】本発明の第１実施例によるバックライトアセンブリの概念図である。
【図９】本発明の第１実施例によるバックライトアセンブリの分解斜視図である。
【図１０】図８のＡ−Ａ断面図である。
【図１１】本発明の第１実施例によるランプサポート部材を示す側面図である。
【図１２】本発明の第１実施例によるランプ固定突起を示す図９のＢ部分拡大図である。
【図１３】本発明の第１実施例によって収納ブロックにランプが結合されることを示す部分切開分解斜視図である。
【図１４】図９のＢ−Ｂ断面図である。
【図１５】本発明の第１実施例によって第１、第２導電体スロットに挿入された第１導電体及び第２導電体を示す側面図である。
【図１６】本発明の第２実施例によるバックライトアセンブリを示す概念図である。
【図１７】図１６のバックライトアセンブリを示す分解斜視図である。
【図１８】本発明の第３実施例によるバックライトアセンブリを示す概念図である。
【図１９】本発明の一実施例による液晶表示装置の分解斜視図である。
【符号の説明】
【０１３４】
１０    液晶表示パネル
１１    光入射面
１００    ランプ
１１０    ランプ本体
１１１    放電ガス
１１６    第１密封部材
１１７    第２密封部材
１１８    第１開口
１１９    第２開口
１２２    第１電極
１２２ａ    第１内部電極
１２２ｂ    第１リード線
１２４    第２電極
１２４ａ    第２内部電極
１２４ｂ    第２リード線
【図２】
2006510042.tif 000003
【図５】
2006510042.tif 000004
【図６】
2006510042.tif 000005
【図７】
2006510042.tif 000006
【図９】
2006510042.tif 000007
【図１０】
2006510042.tif 000008
【図１１】
2006510042.tif 000009
【図１２】
2006510042.tif 000010
【図１４】
2006510042.tif 000011
【図１５】
2006510042.tif 000012
【図１７】
2006510042.tif 000013
【図１８】
2006510042.tif 000014
【図１９】
2006510042.tif 000015
【図１】
2006510042.tif 000016
【図３】
2006510042.tif 000017
【図４】
2006510042.tif 000018
【図８】
2006510042.tif 000019
【図１３】
2006510042.tif 000020
【図１６】
2006510042.tif 000021
【国際調査報告】
2006510042.tif 000022
2006510042.tif 000023
2006510042.tif 000024
2006510042.tif 000025